Podtech/llm-jp-corpus-v4-ja_patent huggingface dataset:
【手続補正書】
【提出日】令和2年4月6日(2020.4.6)
【手続補正１】
【補正対象書類名】明細書
【補正対象項目名】発明の名称
【補正方法】変更
【補正の内容】
【発明の名称】表示装置、表示モジュールおよび電子機器
【手続補正２】
【補正対象書類名】特許請求の範囲
【補正対象項目名】全文
【補正方法】変更
【補正の内容】
【特許請求の範囲】
【請求項１】
第１の表示素子と、第２の表示素子と、第１のトランジスタと、第２のトランジスタと、第３のトランジスタと、を有し、
前記第１の表示素子は、液晶層を有し、
前記第２の表示素子は、発光層を有し、
前記第１のトランジスタは、前記第１の表示素子を選択する機能を有し、
前記第２のトランジスタは、前記第２の表示素子を選択する機能を有し、
前記第３のトランジスタは、前記第２の表示素子の駆動を制御する機能を有し、
前記第１のトランジスタと、前記第２のトランジスタとは、同一表面上に形成され、
前記第３のトランジスタは、前記第１のトランジスタ及び前記第２のトランジスタよりも上方に形成され、且つ前記第２のトランジスタが有するソース電極またはドレイン電極のいずれか一方をゲート電極として有する、表示装置。
【請求項２】
第１の表示素子と、第２の表示素子と、第１のトランジスタと、第２のトランジスタと、第３のトランジスタと、容量素子と、を有し、
前記第１の表示素子は、第１の画素電極と、液晶層と、を有し、
前記第２の表示素子は、第２の画素電極と、発光層と、を有し、
前記第１のトランジスタは、前記第１の画素電極と電気的に接続され、
前記第２のトランジスタは、前記第２の画素電極と電気的に接続され、
前記第３のトランジスタは、前記第２の表示素子と電気的に接続され、
前記容量素子は、一対の電極を有し、
前記一対の電極の一方は、容量電極を有し、
前記一対の電極の他方は、前記第１の画素電極を有し、
前記第１のトランジスタと、前記第２のトランジスタとは、同一表面上に形成され、
前記第３のトランジスタは、前記第１のトランジスタ及び前記第２のトランジスタよりも上方に形成され、且つ前記第２のトランジスタが有するソース電極またはドレイン電極のいずれか一方をゲート電極として有する、表示装置。
【請求項３】
請求項２において、
前記容量電極は、前記第１のトランジスタ及び前記第２のトランジスタのいずれか一方または双方の下方に配置される、表示装置。
【請求項４】
請求項２において、
前記第１の画素電極は、光を反射する機能を有し、
前記第２の画素電極は、光を透過する機能を有する、表示装置。
【請求項５】
請求項２または請求項４において、
前記第１の画素電極は、銀及びアルミニウムのいずれか一方または双方を有し、
前記第２の画素電極は、インジウム、亜鉛、錫、及びシリコンの中から選ばれるいずれか一つまたは複数を有する、表示装置。
【請求項６】
請求項１または請求項２において、
前記第３のトランジスタは、
複数のゲート電極を有する、表示装置。
【請求項７】
請求項１または請求項２において、
前記第１のトランジスタ、前記第２のトランジスタ、及び前記第３のトランジスタのいずれか一つまたは複数は、半導体層に酸化物半導体を有する、表示装置。
【請求項８】
請求項１または請求項２において、
前記発光層は、前記液晶層側に向けて光を発する機能を有する、表示装置。
【請求項９】
請求項１乃至請求項８のいずれか一項に記載の表示装置と、
タッチセンサと、を有する、表示モジュール。
【請求項１０】
請求項１乃至請求項８のいずれか一項に記載の表示装置、または請求項９に記載の表示モジュールと、
操作キーまたはバッテリと、を有する、電子機器。
【手続補正書】
【提出日】令和2年4月2日(2020.4.2)
【手続補正１】
【補正対象書類名】明細書
【補正対象項目名】発明の名称
【補正方法】変更
【補正の内容】
【発明の名称】情報処理装置
【手続補正２】
【補正対象書類名】特許請求の範囲
【補正対象項目名】全文
【補正方法】変更
【補正の内容】
【特許請求の範囲】
【請求項１】
第１のフィルムと、第２のフィルムと、パネル基板と、第１の筐体と、を有し、
前記第１の筐体は、第１のスリットを有し、
前記パネル基板は、前記第１のフィルムおよび前記第２のフィルムの間に挟まれる領域を備え、
前記第１のスリットは、前記領域を収納する機能を備え、
前記パネル基板、前記第１のフィルム、前記第２のフィルム、の何れか一または複数は、前記第１のスリットに沿って摺動可能である情報処理装置。
【請求項２】
請求項１において、
前記パネル基板は、可撓性および表示領域を備え、
前記第２のフィルムは、前記表示領域および前記第１の筐体の間に挟まれる領域を備え、
前記第１のフィルムは、可視光の透過性、および可撓性を備え、
前記第２のフィルムは、可撓性を備える情報処理装置。
【請求項３】
請求項２において、
前記第１のフィルムは、前記第１の筐体の一部に固定される情報処理装置。
【請求項４】
第１の筐体と、第２の筐体と、第３の筐体と、
第１のヒンジと、第２のヒンジと、
第１のスリットと、第２のスリットと、第３のスリットと、
パネル基板と、
第１のフィルムと、第２のフィルムと、を有し、
前記第１のヒンジは、第１の軸を備え、前記第２のヒンジは、第２の軸を備え、
前記第２の軸は、前記第１の軸と並行に配置され、
前記第２の筐体は、前記第１のヒンジを介して、前記第１の軸を中心に回転可能に前記第１の筐体と連結され、
前記第３の筐体は、前記第２のヒンジを介して、前記第２の軸を中心に回転可能に前記第２の筐体と連結され、
前記第１の筐体は、前記第１のスリットを備え、
前記第２の筐体は、前記第２のスリットを備え、
前記第３の筐体は、前記第３のスリットを備え、
前記パネル基板は、前記第１のフィルムおよび前記第２のフィルムの間に挟まれる領域を備え、
前記第１のスリット、前記第２のスリット、及び前記第３のスリットの何れか一または複数は、前記領域を収納する機能を備え、
前記パネル基板、前記第１のフィルム、前記第２のフィルム、の何れか一または複数は、前記第３のスリットに沿って摺動可能である情報処理装置。
【請求項５】
請求項４において、
前記パネル基板は、可撓性および表示領域を備え、
前記第１の筐体は、第１の部分と、前記第１の部分の周辺部と重なる第２の部分を有し、
前記第２のフィルムは、前記表示領域および前記第１の部分の間に挟まれ、
前記第１のフィルムは、可視光の透過性、および可撓性を備え、
前記第２のフィルムは、可撓性を備える情報処理装置。
【請求項６】
請求項５において、
前記第１のフィルムは、前記第１の筐体の一部に固定され、
前記第１のフィルムと、前記第２のフィルムと、前記パネル基板と、は、前記第１の筐体と前記第２の筐体とを、前記第１の軸を中心に回転させることにより、前記第２のスリットと、前記第３のスリットと、に沿って摺動可能である情報処理装置。
【請求項７】
請求項５において、
前記第１のフィルムは、前記第１の筐体に固定され、前記第１の筐体と前記第２の筐体とを、前記第１の軸を中心に回転させることにより、前記第２のスリットと、前記第３のスリットに沿って摺動可能であり、
前記第２のフィルムは、前記第１の筐体と、前記第２の筐体と、前記第３の筐体と、に固定される情報処理装置。
【請求項８】
請求項５乃至請求項７のいずれか一において、
前記第３の筐体に、前記第２のヒンジと並行な端部を有し、
前記第１のフィルムと、前記第２のフィルムと、前記パネル基板と、の各々が、前記第３のスリット内にて摺動するとき、
前記第１のフィルムと前記端部との距離、前記第２のフィルムと前記端部との距離、前記パネル基板と前記端部との距離、は、いずれも０より大である情報処理装置。
【請求項９】
請求項２乃至請求項３または請求項５乃至請求項８のいずれか一において、
回路基板を有し、
前記回路基板は、前記パネル基板と接続され、
前記回路基板は、前記第１の筐体に収納される情報処理装置。
【請求項１０】
請求項２乃至請求項３または請求項５乃至請求項９のいずれか一において、
少なくとも１の駆動回路が、前記パネル基板上にＣＯＧ法を用いて設けられ、
前記ＣＯＧ法を用いて設けられた領域と前記表示領域との間に、湾曲部を有し、
前記パネル基板は、前記湾曲部にて折り曲げられている、情報処理装置。
【請求項１１】
請求項２乃至請求項３または請求項５乃至請求項９のいずれか一において、
前記パネル基板は、画像信号線駆動回路を有し、
前記画像信号線駆動回路と前記表示領域との間に、湾曲部を有し、
前記パネル基板は、前記湾曲部にて折り曲げられている、情報処理装置。
【請求項１２】
請求項１乃至請求項１１のいずれか一において、
前記パネル基板は、タッチパネルである情報処理装置。
【請求項１３】
請求項２乃至請求項３または請求項５乃至請求項１１において、
前記パネル基板は、タッチパネルであり、
前記表示領域を制御する信号を送信または受信するＦＰＣと、タッチパネルを制御する信号を送信または受信するＦＰＣと、が前記第１の筐体内に収納される情報処理装置。
【手続補正書】
【提出日】令和2年1月8日(2020.1.8)
【手続補正１】
【補正対象書類名】明細書
【補正対象項目名】０１７５
【補正方法】変更
【補正の内容】
【０１７５】
中間体４を１０ｇ、ＴＭＯＳを４．８ｇ、ｔ−ブチルアミン５６ｍｇを仕込み、撹拌しながら３０℃で５時間反応を行った。１２ｈＰａ、１４０℃で減圧濃縮し、化合物４を１０．６ｇ得た。式中、括弧でくくられた単位の平均繰り返し数をＮＭＲスペクトルから算出したところ、８であった。
【手続補正２】
【補正対象書類名】明細書
【補正対象項目名】０１７７
【補正方法】変更
【補正の内容】
【０１７７】
実施例１〜３、比較例１〜３
有機ケイ素化合物（ａ）としての化合物１〜４、金属化合物（ｂ）としてのテトラエトキシシラン（ＴＥＯＳ）、０．０１Ｍ塩酸、メチルエチルケトン（ＭＥＫ）を表７に示す通りの組成で混合し、２４時間撹拌して試料溶液を作製した。得られた試料溶液をさらにメチルエチルケトン（ＭＥＫ）で２０倍に希釈し、塗布溶液１〜６とした。
【手続補正３】
【補正対象書類名】明細書
【補正対象項目名】０１７９
【補正方法】変更
【補正の内容】
【０１７９】
製膜
アルカリ洗浄したガラス基板（ＥＡＧＬＥ  ＸＧ、Ｃｏｒｎｉｎｇ社製）にスピンコーター（ＭＩＫＡＳＡ社製）を用いて前記塗布溶液１〜６を３０００ｒｐｍで２０秒間コーティングし、室温で静置した。なお、製膜にあたり拭き取り工程は要さず、簡便に皮膜を得ることができた。得られた皮膜について、初期の接触角、耐摩耗性、液滴すべり性を評価した。また、温水浸漬試験を実施した後、接触角、耐摩耗性、液滴すべり性を評価した。結果を表８に示す。なお表８の”−”は、測定不可であったことを表す。
【手続補正書】
【提出日】令和2年1月17日(2020.1.17)
【手続補正１】
【補正対象書類名】明細書
【補正対象項目名】００４８
【補正方法】変更
【補正の内容】
【００４８】
有機ケイ素化合物（Ａ１）としては、炭素数が６〜２０のアルキル基を１つと、加水分解性基を３つ有する化合物；炭素数が６〜２０のアルキル基を１つと、第２の炭化水素鎖含有基を１つと、加水分解性基を２つ有する化合物；等を好ましく挙げることができる。 
【手続補正２】
【補正対象書類名】明細書
【補正対象項目名】０１４４
【補正方法】変更
【補正の内容】
【０１４４】
低沸点溶媒（Ｄ）の２０℃での蒸気圧は２０００Ｐａ以上が好ましく、より好ましくは３０００Ｐａ以上であり、上限は特に限定されないが、例えば１３０００Ｐａである。また低沸点溶媒（Ｄ）の沸点は、好ましくは１００℃以下であり、より好ましくは８５℃以下である。 
【手続補正３】
【補正対象書類名】明細書
【補正対象項目名】０１５４
【補正方法】変更
【補正の内容】
【０１５４】
前記リン系酸化防止剤としては、トリス（２，４−ジ−ｔ−ブチルフェニル）ホスファイト、ビス（２，４−ジ−ｔ−ブチルフェニル）ペンタエリスリトールジホスファイト、ビス（２，６−ジ−ｔ−ブチル−４−メチルフェニル）ペンタエリスリトールジホスファイト、ビス（２，４−ジ−クミルフェニル）ペンタエリスリトールジホスファイト、テトラキス（２，４−ジ−ｔ−ブチルフェニル）−４，４’−ビフェニレンジホスフォナイト、ビス−[２，４−ジ−ｔ−ブチル−（６−メチル）フェニル]エチルホスファイト等が挙げられる。 
【手続補正４】
【補正対象書類名】明細書
【補正対象項目名】０１５８
【補正方法】変更
【補正の内容】
【０１５８】
前記防カビ剤／抗菌剤としては、２−（４−チアゾリル）ベンズイミダゾール、ソルビン酸、１，２−ベンズイソチアゾリン−３−オン、（２−ピリジルチオ−１−オキシド）ナトリウム、デヒドロ酢酸、２−メチル−５−クロロ−４−イソチアゾロン錯体、２，４，５，６−テトラクロロフタロニトリル、２−ベンズイミダゾールカルバミン酸メチル、１−（ブチルカルバモイル）−２−ベンズイミダゾールカルバミン酸メチル、モノあるいはジブロモシアノアセトアミド類、１，２−ジブロモ−２，４−ジシアノブタン、１，１−ジブロモ−１−ニトロプロパノールおよび１，１−ジブロモ−１−ニトロ−２−アセトキシプロパン等が挙げられる。 
【手続補正５】
【補正対象書類名】明細書
【補正対象項目名】０１７５
【補正方法】変更
【補正の内容】
【０１７５】
式（１）中、Ｚa3の炭化水素鎖含有基は、いずれも上記説明した第１の炭化水素鎖含有基（炭素数が６〜２０のアルキル基を含む）、第２の炭化水素鎖含有基の範囲から適宜選択できる。 
【手続補正６】
【補正対象書類名】明細書
【補正対象項目名】０１９２
【補正方法】変更
【補正の内容】
【０１９２】
得られた皮膜において、構造（ａ１）と構造（ｂ）の存在比（構造（ａ１）／構造（ｂ））は、モル基準で、０．０１以上であることが好ましく、より好ましくは０．０２以上、さらに好ましくは０．０３以上であり、０．３以下であることが好ましく、より好ましくは０．２以下、さらに好ましくは０．１以下、よりいっそう好ましくは０．０９以下である。 
【手続補正７】
【補正対象書類名】明細書
【補正対象項目名】０２１６
【補正方法】変更
【補正の内容】
【０２１６】
塗布溶液１−１をベンコット（旭化成株式会社製クリーンルーム用ワイパー、登録商標）に浸み込ませ、アルカリ洗浄したガラス基板（５ｃｍ×５ｃｍ、Ｃｏｒｎｉｎｇ社製「ＥＡＧＬＥ  ＸＧ」）にコーティングし、１日室温で静置した。コーティングは以下の方法によりおこなった。ベンコットの上に疑似指（トンボ社製モノワンダストキャッチ）を２本乗せ、スチールウール試験機（大栄精機社製）に取り付け、ベンコットに塗布溶液１−１を１ｍＬ浸み込ませた。次いで１ｋｇの荷重を加えながら、ストローク５０ｍｍ、速度６０ｒ／ｍｉｎの条件で基材に往路のみ塗布し、時間を置かずにガラス基板をずらして重なり合う箇所ができるように、再度往路のみ塗布した。このように塗布を行うことにより、定量的に手塗りを再現することができる。このコーティング方法を手塗りということがある。 
【手続補正８】
【補正対象書類名】明細書
【補正対象項目名】０２４０
【補正方法】変更
【補正の内容】
【０２４０】
比較例７
ドデカンに代えて１，２−ジメトキシエタンを用いたこと以外は比較例６と同様にして、塗布溶液ｇを作製した。この塗布溶液ｇを用いて、実施例１−１と同様にしてガラス基板に手塗りでコーティングし、１日室温で静置して皮膜を作製し、評価した。
【手続補正書】
【提出日】令和2年1月8日(2020.1.8)
【手続補正１】
【補正対象書類名】明細書
【補正対象項目名】００９５
【補正方法】変更
【補正の内容】
【００９５】
Ｚf1で表されるシロキサン骨格含有基、炭化水素鎖含有基及びＲf1で表されるフッ化炭素含有基の原子数は、有機化合物（ａ）における分子鎖（好ましくはトリアルキルシリル基と加水分解性ケイ素基をつなぐ鎖状或いは環状の炭化水素及び／又は鎖状或いは環状のジアルキルシロキサン）の原子数よりも少ないことが好ましい。また、Ｚf1におけるシロキサン骨格含有基、炭化水素鎖含有基又はＲf1で表されるフッ化炭素含有基に含まれる最長直鎖の炭素数は、トリアルキルシリル基含有分子鎖の原子数よりも少ないものであることが好ましい。これにより、本発明の組成物から形成される皮膜において、金属アルコキシド（ｂ）に由来する構造がスペーサーとして作用することが可能となる。
Ｚf1で表されるシロキサン骨格含有基、炭化水素鎖含有基としては、Ｚa1で表されるシロキサン骨格含有基、炭化水素鎖含有基とそれぞれ同様の基が挙げられる。
【手続補正２】
【補正対象書類名】明細書
【補正対象項目名】０１７３
【補正方法】変更
【補正の内容】
【０１７３】
Ｚf2で表されるシロキサン骨格含有基又は炭化水素鎖含有基としては、Ｚa1で表されるシロキサン骨格含有基、炭化水素鎖含有基とそれぞれ同様の基が挙げられる。
【手続補正３】
【補正対象書類名】明細書
【補正対象項目名】０１４３
【補正方法】変更
【補正の内容】
【０１４３】
前記顔料としては、カーボンブラック、酸化チタン、フタロシアニン系顔料、キナクリドン系顔料、イソインドリノン系顔料、ペリレン又はペリノン系顔料、キノフタロン系顔料、ジケトピロロ−ピロール系顔料、ジオキサジン系顔料、ジスアゾ縮合系顔料やベンズイミダゾロン系顔料等が挙げられる。
【手続補正４】
【補正対象書類名】明細書
【補正対象項目名】０１４８
【補正方法】変更
【補正の内容】
【０１４８】
また、有機ケイ素化合物（ａ）、金属アルコキシド（ｂ）及び含フッ素有機ケイ素化合物（ｆ）の合計（溶剤（ｃ）を含む場合、有機ケイ素化合物（ａ）と金属アルコキシド（ｂ）と含フッ素有機ケイ素化合物（ｆ）と溶剤（ｃ）の合計）の含有量は、組成物中、通常６０質量％以上であり、好ましくは７５質量％以上、より好ましくは８５質量％以上、さらに好ましくは９５質量％以上である。
【手続補正５】
【補正対象書類名】明細書
【補正対象項目名】０１８１
【補正方法】変更
【補正の内容】
【０１８１】
プライマー層形成用組成物に含まれる（Ｐ１）成分は、化合物（Ｐａ）の部分加水分解縮合物であってもよい。化合物（Ｐａ）の部分加水分解縮合物は、酸触媒や塩基触媒を用い、一般的な加水分解縮合方法により製造することができる。部分加水分解縮合物の縮合度（多量化度）は、生成物が溶媒に溶解する程度であることが好ましい。（Ｐ１）成分としては、化合物（Ｐａ）であっても、化合物（Ｐａ）の部分加水分解縮合物であってもよく、化合物（Ｐａ）とその部分加水分解縮合物との混合物、例えば、未反応の化合物（Ｐａ）が含まれる化合物（Ｐａ）の部分加水分解縮合物であってもよい。化合物（Ｐａ）やその部分加水分解縮合物としては市販品を用いることもできる。
【手続補正６】
【補正対象書類名】明細書
【補正対象項目名】０１９９
【補正方法】変更
【補正の内容】
【０１９９】
実施例２−１
有機ケイ素化合物（ａ）としての化合物１、金属アルコキシド（ｂ）としてのテトラエトキシシラン（ＴＥＯＳ）、含フッ素有機ケイ素化合物（ｆ）としてのトリエトキシ（１Ｈ，１Ｈ，２Ｈ，２Ｈ−ノナフルオロヘキシル)シラン（Ｃ4Ｆ9−Ｃ2Ｈ4−Ｓｉ−（ＯＣ2Ｈ5）3）、触媒（ｄ）としての０．０１Ｍ塩酸、及び溶剤（ｃ）としてのメチルエチルケトン（ＭＥＫ）を表９に示す組成比で混合し、２４ｈ撹拌して塗布液を得た。アルカリ洗浄したガラス基板（ＥＡＧＬＥ  ＸＧ、Ｃｏｒｎｉｎｇ社）にスピンコーター（ＭＩＫＡＳＡ社製）を用いて得られた塗布液を３０００ｒｐｍ、２０ｓでコーティングし、１日室温で静置した後、さらに所定の温度で硬化させて、皮膜を得た。
【手続補正７】
【補正対象書類名】明細書
【補正対象項目名】０２０４
【補正方法】変更
【補正の内容】
【０２０４】
【表１０】
2017201009.tif 000001
【手続補正書】
【提出日】令和2年1月8日(2020.1.8)
【手続補正１】
【補正対象書類名】明細書
【補正対象項目名】００４７
【補正方法】変更
【補正の内容】
【００４７】
化合物（Ｉ−Ｘ２）は、化合物（Ｉ−Ｘ１）１モルに対して、１モル以上であることが好ましく、より好ましくは１．５モル以上、更に好ましくは２モル以上であり、５モル以下であることが好ましく、より好ましくは３モル以下である。
【手続補正２】
【補正対象書類名】明細書
【補正対象項目名】０１１７
【補正方法】変更
【補正の内容】
【０１１７】
本発明の皮膜における滑落速度は、１ｍｍ／ｓｅｃ以上であることが好ましく、より好ましくは５ｍｍ／ｓｅｃ以上、さらに好ましくは１０ｍｍ／ｓｅｃ以上であり、特に好ましくは２０ｍｍ／ｓｅｃ以上である。
前記滑落速度は、本発明の皮膜を有する基材を２０°傾け、５０μＬの液滴（水）を滴下したときの移動距離を移動に要した時間で除することにより求められる値とする。具体的には、協和界面科学社製の接触角計の動的滑落法を用いて測定することができる。
【手続補正３】
【補正対象書類名】明細書
【補正対象項目名】０１４１
【補正方法】変更
【補正の内容】
【０１４１】
さらに、基材上に本発明の皮膜を形成した皮膜処理基材も本発明の範囲に包含される。基材の形状は、平面、曲面のいずれでもよいし、多数の面が組み合わさった三次元的構造でもよい。また、基材は、有機系材料、無機系材料のいずれで構成されていてもよく、前記有機系材料としては、アクリル樹脂、ポリカーボネート樹脂、ポリエステル樹脂、スチレン樹脂、アクリル−スチレン共重合樹脂、セルロース樹脂、ポリオレフィン樹脂、ポリビニルアルコール等の熱可塑性樹脂；フェノール樹脂、ユリア樹脂、メラミン樹脂、エポキシ樹脂、不飽和ポリエステル、シリコーン樹脂、ウレタン樹脂等の熱硬化性樹脂；等が挙げられ、無機系材料としては、セラミックス；ガラス；Ｆｅ、Ｓｉ、Ｃｕ、Ａｌ等の金属；前記金属を含む合金；等が挙げられる。
前記基材には、予め易接着処理を施しておいてもよい。易接着処理としては、コロナ処理、プラズマ処理、紫外線処理等の親水化処理が挙げられる。また、樹脂、シランカップリング剤、テトラアルコキシシラン等によるプライマー処理を用いてもよい。
【手続補正４】
【補正対象書類名】明細書
【補正対象項目名】０１５８
【補正方法】変更
【補正の内容】
【０１５８】
(耐光性評価)
水銀ランプ（ウシオ電機社製「ＳＰ−９  ２５０ＤＢ」）に均一光照射ユニット（ウシオ社製）を取り付け、レンズから１７．５ｃｍの距離にサンプルを設置した。２００−８００ｎｍの光強度を強度計（ＯＰＨＩＬ社製「ＶＥＧＡ」）を用いて測定したところ、２００ｍＷ／ｃｍ2であった。温度２０〜４０℃、湿度３０〜７５％の大気雰囲気下で、水銀ランプをサンプルに６時間照射した。透明皮膜上の液滴（液量３μＬのイオン交換水）の初期接触角をＡ1、照射後の液滴の接触角度をＢZとして、下記式に基づいて計算される照射前後の接触角の変化率を表２に示す。
接触角変化率(％)＝{(ＢZ−Ａ1)／Ａ1}×１００（％）
なお、上記水銀ランプ（ウシオ電機社製「ＳＰ−９  ２５０ＤＢ」）の分光放射照度は図１に示す通りであり、３００ｎｍ以下の領域に輝線を有していた。
【手続補正５】
【補正対象書類名】明細書
【補正対象項目名】０１６３
【補正方法】変更
【補正の内容】
【０１６３】
得られた化合物（１）の29Ｓｉ−ＮＭＲ（４００ＭＨｚ,基準:ＣＤＣｌ3（＝７．２４ｐｐｍ）緩和試薬：アセチルアセトンクロム、溶質に対して１０％添加）の測定結果を以下に示す。
29Ｓｉ-ＮＭＲ（溶媒：ＣＤＣｌ3）δ（ｐｐｍ）：８．２０-８．８０((ＣＨ3)3−Ｓｉ)、−２２．５０-−２１．００((ＣＨ3)2−Ｓｉ)、−１０６．５０-−１０５．４(Ｓｉ−ＮＣＯ)
【手続補正６】
【補正対象書類名】明細書
【補正対象項目名】０１６６
【補正方法】変更
【補正の内容】
【０１６６】
テトライソシアネートシラン０．９８ｇをジエチルエーテル８ｍＬに溶解した後、０℃に冷却し、ジエチルエーテル４０ｍＬに溶解した中間体２を９．９０ｇ滴下し、３５℃で２ｈ撹拌した。３ｈＰａ、３５℃で溶媒を留去し、下記式で表される化合物２を１０．０ｇ得た。式中、括弧でくくられた単位の平均繰り返し数ｎは、８であった。
得られた化合物（２）の29Ｓｉ−ＮＭＲ（４００ＭＨｚ,基準:ＣＤＣｌ3（＝７．２４ｐｐｍ）緩和試薬：アセチルアセトンクロム、溶質に対して１０％添加）の測定結果を以下に示す。
29Ｓｉ-ＮＭＲ（溶媒：ＣＤＣｌ3）δ（ｐｐｍ）：８．２０-８．８０((ＣＨ3)3−Ｓｉ)、−２２．５０-−２１．００((ＣＨ3)2−Ｓｉ)、−１０６．５０-−１０５．４(Ｓｉ−ＮＣＯ)
【手続補正７】
【補正対象書類名】明細書
【補正対象項目名】０１７４
【補正方法】変更
【補正の内容】
【０１７４】
比較例２−１、２−２、２−３
化合物３〜５及びメチルエチルケトンを表１に示す通りの組成で混合し、塗布溶液５、６、７を得た。
【手続補正書】
【提出日】令和2年3月30日(2020.3.30)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
第１のトランジスタと、第２のトランジスタと、容量素子と、コンパレータと、を有し、
前記コンパレータは、非反転入力端子、反転入力端子、および出力端子を有し、
前記第１のトランジスタのゲートは、前記第１のトランジスタのソースまたはドレインの一方と電気的に接続され、
前記第２のトランジスタのソースまたはドレインの一方は、前記コンパレータの前記非反転入力端子に電気的に接続され、
前記第２のトランジスタのソースまたはドレインの他方は、前記第１のトランジスタのソースまたはドレインの一方と電気的に接続され、
前記第２のトランジスタのソースまたはドレインの一方は、前記容量素子の一方の電極と電気的に接続され、
前記第２のトランジスタのゲートは、前記第２のトランジスタのソースまたはドレインの一方と電気的に接続され、
前記第１のトランジスタおよび前記第２のトランジスタは、酸化物半導体を有する半導体装置。
【請求項２】
請求項１において、
前記第１のトランジスタは、バックゲートを有し、
前記第１のトランジスタのゲートは、前記第１のトランジスタのバックゲートと電気的に接続され、
前記第２のトランジスタは、バックゲートを有し、
前記第２のトランジスタのゲートは、前記第２のトランジスタのバックゲートと電気的に接続されている半導体装置。
【請求項３】
請求項１または請求項２において、
前記第１のトランジスタのソースまたはドレインの他方は、前記反転入力端子に電気的に接続されている半導体装置。
【手続補正書】
【提出日】令和2年10月7日(2020.10.7)
【手続補正１】
【補正対象書類名】特許請求の範囲
【補正対象項目名】全文
【補正方法】変更
【補正の内容】
【特許請求の範囲】
【請求項１】
ゲームを実行するゲーム装置であって、
前記ゲーム装置のユーザによる操作の内容を示す第１操作情報を取得する取得部と、
前記ゲームを実行する他のゲーム装置のユーザによる操作の内容を示す第２操作情報を受信する通信制御部と、
前記取得部により取得された第１操作情報を第１記憶領域に記憶させ、前記通信制御部により受信された第２操作情報を第２記憶領域に記憶させる記憶制御部と、
前記第１記憶領域に記憶されている情報及び前記第２記憶領域に記憶されている情報に基づいて前記ゲームを進行させる進行制御部と、
を備え、
前記記憶制御部は、
初期化期間において、ユーザの操作に依存しない初期情報の数を、前記前記ゲーム装置と前記他のゲーム装置との間の通信状況に応じて決定し、
前記初期情報を前記第２記憶領域に記憶させる初期化処理を実行し、
前記進行制御部は、
前記初期化期間の終了後の第１期間において、
前記第１記憶領域に記憶されている第１操作情報及び前記第２記憶領域に記憶されている初期情報に基づいて前記ゲームを進行させ、
前記第１期間の終了後の第２期間において、
前記第１記憶領域に記憶されている第１操作情報及び前記第２記憶領域に記憶されている第２操作情報に基づいて前記ゲームを進行させる、
ことを特徴とする、ゲーム装置。
【請求項２】
互いに通信可能な第１ゲーム装置及び第２ゲーム装置が協同でゲームを実行するゲームシステムであって、
前記第１ゲーム装置は、
前記第１ゲーム装置のユーザによる操作の内容を示す第１操作情報を取得する第１取得部と、
前記第１取得部により取得された第１操作情報を送信し、前記第２ゲーム装置のユーザによる操作の内容を示す第２操作情報を受信する第１通信制御部と、
前記第１取得部により取得された第１操作情報を第１記憶領域に記憶させ、前記第１通信制御部により受信された第２操作情報を第２記憶領域に記憶させる第１記憶制御部と、
前記第１記憶領域に記憶されている情報及び前記第２記憶領域に記憶されている情報に基づいて前記ゲームを進行させる第１進行制御部と、
を備え、
前記第１記憶制御部は、
第１初期化期間において、ユーザの操作に依存しない１又は複数の初期情報を前記第２記憶領域に記憶させる第１初期化処理を実行し、
前記第１進行制御部は、
前記第１初期化期間の終了後の第１期間において、
前記第１記憶領域に記憶されている第１操作情報及び前記第２記憶領域に記憶されている初期情報に基づいて前記ゲームを進行させ、
前記第１期間の終了後の第２期間において、
前記第１記憶領域に記憶されている第１操作情報及び前記第２記憶領域に記憶されている第２操作情報に基づいて前記ゲームを進行させ、
前記第２ゲーム装置は、
前記第２ゲーム装置のユーザによる操作の内容を示す第２操作情報を取得する第２取得部と、
前記第２取得部により取得された第２操作情報を送信し、前記第１ゲーム装置のユーザによる操作の内容を示す第１操作情報を受信する第２通信制御部と、
前記第２取得部により取得された第２操作情報を第３記憶領域に記憶させ、前記第２通信制御部により受信された第１操作情報を第４記憶領域に記憶させる第２記憶制御部と、
前記第３記憶領域に記憶されている情報及び前記第４記憶領域に記憶されている情報に基づいて前記ゲームを進行させる第２進行制御部と、
を備え、
前記第２記憶制御部は、
第２初期化期間において、ユーザの操作に依存しない１又は複数の初期情報を前記第３記憶領域に記憶させる第２初期化処理を実行し、
前記第２進行制御部は、
前記第２初期化期間の終了後の第３期間において、
前記第３記憶領域に記憶されている初期情報及び前記第４記憶領域に記憶されている第１操作情報に基づいて前記ゲームを進行させ、
前記第３期間の終了後の第４期間において、
前記第３記憶領域に記憶されている第２操作情報及び前記第４記憶領域に記憶されている第１操作情報に基づいて前記ゲームを進行させ、
前記第３記憶領域に記憶される初期情報の数は、前記第２記憶領域に記憶される初期情報の数と同じであり、
前記第１通信制御部は、前記第１記憶領域に記憶された第１操作情報が未操作を示す操作情報である場合には、第１操作情報の送信を待機させ、
前記第２通信制御部は、前記第３記憶領域に記憶された第２操作情報が未操作を示す操作情報である場合には、第２操作情報の送信を待機させる、
ことを特徴とする、ゲームシステム。
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
均質化したたばこ材料であって、
乾燥質量基準で前記均質化したたばこ材料の約１パーセント〜５パーセントから成る量の結合剤と、
乾燥質量基準で前記均質化したたばこ材料の約５パーセント〜約３０パーセントから成る量のエアロゾル形成体と、
乾燥質量基準で前記均質化したたばこ材料の約２０パーセント〜約９３パーセントから成る量の粉砕したたばこブレンドと、
前記粉砕したたばこブレンド中に存在するセルロース繊維に添加されたセルロース繊維であって、前記添加されたセルロース繊維が、少なくとも部分的にフィブリル化され、乾燥質量基準で前記均質化したたばこ材料の約１パーセント〜約３パーセントから成る量であり、前記セルロース繊維が、木材、亜麻、麻、またはたばこのうちの１つ以上に由来する繊維を含む、セルロース繊維と、を含む、均質化したたばこ材料。
【請求項２】
前記たばこブレンドが、
−ブライトたばこ；
−ダークたばこ；
−アロマティックたばこ；
−フィラーたばこ
のうち異なるたばこの種類を含む、請求項１に記載の均質化したたばこ材料。
【請求項３】
前記セルロース繊維が、０．２ミリメートル〜４ミリメートルから成る前記セルロース繊維の平均繊維長さを有する、請求項１または２に記載の均質化したたばこ材料。
【請求項４】
前記結合剤が、
−天然ペクチン；
−グアーガム；
−デンプン；
−セルロース；
−デキストラン；
−プラロン；
−コニャックフラー；
−キサンタンガム
の一つまたはそれより多数を含む、請求項１〜３のいずれか１項に記載の均質化したたばこ材料。
【請求項５】
前記結合剤がグアーである、請求項４に記載の均質化したたばこ材料。
【請求項６】
前記エアロゾル形成体がグリセロールである、請求項１〜５のいずれか１項に記載の均質化したたばこ材料。
【請求項７】
前記粉砕したたばこが、０．０３ミリメートル〜０．１２ミリメートルから成る平均サイズを有する、請求項１〜６のいずれか１項に記載の均質化したたばこ材料。
【請求項８】
前記粉砕したたばこブレンドが、乾燥質量基準で前記均質化したたばこ材料の５０パーセント〜９０パーセントから成る量で含まれる、請求項１〜７のいずれか１項に記載の均質化したたばこ材料。
【請求項９】
前記均質化したたばこ材料の総重量の６０パーセント〜８０パーセントから成る量の水を含む、請求項１〜８のいずれか１項に記載の均質化したたばこ材料。
【請求項１０】
前記均質化したたばこ材料の総重量の７パーセント〜１５パーセントから成る量の水を含む、請求項１〜８のいずれか１項に記載の均質化したたばこ材料。
【請求項１１】
香味料を含む請求項１〜１０のいずれか１項に記載の均質化したたばこ材料。
【請求項１２】
請求項１〜１１のいずれか１項に記載された均質化したたばこ材料の、ボビンに巻き取ったシート。
【請求項１３】
請求項１〜１１のいずれか１項に記載された均質化したたばこ材料の一部分を含む、エアロゾル発生装置。
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
左右方向に延びる支持フレームを脚部により支持してなる脚体と、
枠体と、前記枠体に四方を囲まれた領域に設けられて着座面となるシート状部材と、を備え、左右方向に延びる軸を中心として回動可能に構成された座体と、
前記座体における前記着座面となる側とは反対側に設けられ、前記支持フレームに接触することにより、前記座体を着席可能な状態に位置決めする位置決め部材と、を備え、
前記位置決め部材は、前記枠体の左側部、及び、前記枠体の右側部から延び出し、左右方向に延び、かつ、前後に幅を有する部材によって接続されており、
前記シート状部材は、変形可能であり、
前記位置決め部材は、前後方向の幅が先端に向けて狭くなる形状であると共に、左右方向の外側面が前記枠体から左右方向内側に向けて傾斜するように突出しており、該座体の左右外側面よりも内側となる位置において前記支持フレームと接触するように構成される
ことを特徴とするイス。
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
特定方向に回転することにより、遊技機前面部に設けられた貯留部に向けて遊技媒体を払い出すための回転体と、
当該回転体により前記貯留部に向けて払い出される遊技媒体を検知することで特定検知結果となる払出検知手段と、
払い出すべき遊技媒体数の情報に対応した払出情報を記憶する払出情報記憶手段と、
当該払出情報記憶手段に記憶されている前記払出情報に対応した数の遊技媒体が払い出されるように前記回転体を駆動制御する駆動制御手段と、
前記払出検知手段の検知結果が前記特定検知結果となったことに基づいて遊技媒体が払い出されたことを特定し、その特定した遊技媒体数が前記払出情報に反映されるように当該払出情報を更新する更新手段と、
遊技媒体を払い出すよう前記回転体が駆動制御されている状況で、予め定められた特定タイミングとなったにも関わらず前記払出検知手段の検知結果が前記特定検知結果とならない状況が発生している場合に、前記回転体の回転量が１の遊技媒体を払い出すことが可能な所定の回転量となる前に前記回転体を停止させる制御を実行する手段と、
を備えていることを特徴とする遊技機。
【請求項２】
前記貯留部に払い出された遊技媒体を遊技者が視認可能であることを特徴とする請求項１に記載の遊技機。
【手続補正２】
【補正対象書類名】明細書
【補正対象項目名】０００３
【補正方法】変更
【補正の内容】
【０００３】
払出実行手段は制御装置と電気的に接続されており、払出動作を実行するように制御装置により払出実行手段が駆動制御されることで、上記一旦停止されていた遊技球は球受け皿に払い出される。
【手続補正３】
【補正対象書類名】明細書
【補正対象項目名】０００４
【補正方法】変更
【補正の内容】
【０００４】
また、例えば、特許文献１に示すパチンコ遊技機では、払出実行手段よりも下流側に払出検知センサ（払出検知手段）が設けられており、払出実行手段の払出動作により下流側へ導出された遊技球は払出検知センサにて検知される。制御装置では当該払出検知センサの検知結果に基づいて、払い出された遊技球の個数を把握し、払出数情報に対応した数の遊技球が払い出された場合に払出実行手段の払出動作を終了させる。
【手続補正４】
【補正対象書類名】明細書
【補正対象項目名】０００６
【補正方法】変更
【補正の内容】
【０００６】
ここで、上記例示したパチンコ遊技機等においては、遊技球等の遊技媒体の払出制御を行う上で未だ改善の余地がある。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】００１０
【補正方法】変更
【補正の内容】
【００１０】
本発明は、上記例示した事情等に鑑みてなされたものであり、遊技媒体の払出制御を好適に行うことが可能な遊技機を提供することを目的とするものである。
【手続補正８】
【補正対象書類名】明細書
【補正対象項目名】００１１
【補正方法】変更
【補正の内容】
【００１１】
本発明は、
特定方向に回転することにより、遊技機前面部に設けられた貯留部に向けて遊技媒体を払い出すための回転体と、
当該回転体により前記貯留部に向けて払い出される遊技媒体を検知することで特定検知結果となる払出検知手段と、
払い出すべき遊技媒体数の情報に対応した払出情報を記憶する払出情報記憶手段と、
当該払出情報記憶手段に記憶されている前記払出情報に対応した数の遊技媒体が払い出されるように前記回転体を駆動制御する駆動制御手段と、
前記払出検知手段の検知結果が前記特定検知結果となったことに基づいて遊技媒体が払い出されたことを特定し、その特定した遊技媒体数が前記払出情報に反映されるように当該払出情報を更新する更新手段と、
遊技媒体を払い出すよう前記回転体が駆動制御されている状況で、予め定められた特定タイミングとなったにも関わらず前記払出検知手段の検知結果が前記特定検知結果とならない状況が発生している場合に、前記回転体の回転量が１の遊技媒体を払い出すことが可能な所定の回転量となる前に前記回転体を停止させる制御を実行する手段と、
を備えていることを特徴とする。
【手続補正９】
【補正対象書類名】明細書
【補正対象項目名】００１２
【補正方法】変更
【補正の内容】
【００１２】
本発明によれば、遊技媒体の払出制御を好適に行うことが可能になる。
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
第１の役〜第４の役を含む複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
演出の実行制御を行う演出制御手段と、を備え、
前記第１の役〜前記第４の役が入賞したことに基づいて利益が付与される遊技機であって、
前記第１の役〜前記第４の役のそれぞれは、内部抽選で当選した場合に停止操作のタイミングに応じて入賞しない場合が存在する役であり、
前記複数のリールが第１のリールと第２のリールとを含み、第１のリールおよび第２のリールのそれぞれにおいて、第１の図柄および第２の図柄が配列されており、
前記第１の役の入賞形態を示す図柄組合せは、前記第１のリールに前記第１の図柄が割り当てられているが、前記第１のリールに前記第２の図柄が割り当てられておらず、
前記第２の役の入賞形態を示す図柄組合せは、前記第１のリールに前記第２の図柄が割り当てられているが、前記第１のリールに前記第１の図柄が割り当てられておらず、
前記第３の役の入賞形態を示す図柄組合せは、前記第２のリールに前記第１の図柄が割り当てられているが、前記第２のリールに前記第２の図柄が割り当てられておらず、
前記第４の役の入賞形態を示す図柄組合せは、前記第２のリールに前記第２の図柄が割り当てられているが、前記第２のリールに前記第１の図柄が割り当てられておらず、
前記演出制御手段が、
前記第１の役〜前記第４の役のいずれかが当選した遊技において、当選した役の入賞を補助する入賞補助演出を所定条件下で行うことを特徴とする遊技機。
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
始動条件の成立後、開始条件の成立に基づいて、識別情報の変動表示を行い、該変動表示にて特定表示結果が表示されると、遊技者にとって有利な特定遊技状態へ移行可能とする遊技機であって、
遊技者が操作可能な操作手段と、
予め設定された所定の時期に前記操作手段の操作を促す操作演出表示を行う操作演出制御手段と、
所定のポイント付与条件が成立したときに、演出に用いられるポイント数を付与するポイント制御手段と、
前記操作演出表示に応じて前記操作手段が遊技者により操作され、前記ポイント制御手段によりポイントが付与される手動モードと、前記操作手段が操作されずに特定の条件が成立すると、前記操作手段が操作されたものとみなされ、前記ポイント制御手段によりポイントが付与される自動モードとの何れかのモードを設定可能とする操作モード設定手段と、を備え、
前記ポイント制御手段は、前記手動モードにて前記操作手段が操作された場合に付与される前記ポイント数と、前記自動モードにて前記操作手段が操作されたものとみなされた場合に付与される前記ポイント数とで差異をつけ、
前記自動モードにて前記操作手段が遊技者により操作され、ポイントが付与される場合、手動モードにて前記操作手段が操作されたことに基づいて付与される前記ポイント数としたことを特徴とする遊技機。
【手続補正２】
【補正対象書類名】明細書
【補正対象項目名】０００６
【補正方法】変更
【補正の内容】
【０００６】
請求項１に発明は、  始動条件の成立後、開始条件の成立に基づいて、識別情報の変動表示を行い、該変動表示にて特定表示結果が表示されると、遊技者にとって有利な特定遊技状態へ移行可能とする遊技機であって、
遊技者が操作可能な操作手段と、
予め設定された所定の時期に前記操作手段の操作を促す操作演出表示を行う操作演出制御手段と、
所定のポイント付与条件が成立したときに、演出に用いられるポイント数を付与するポイント制御手段と、
前記操作演出表示に応じて前記操作手段が遊技者により操作され、前記ポイント制御手段によりポイントが付与される手動モードと、前記操作手段が操作されずに特定の条件が成立すると、前記操作手段が操作されたものとみなされ、前記ポイント制御手段によりポイントが付与される自動モードとの何れかのモードを設定可能とする操作モード設定手段と、を備え、
前記ポイント制御手段は、前記手動モードにて前記操作手段が操作された場合に付与される前記ポイント数と、前記自動モードにて前記操作手段が操作されたものとみなされた場合に付与される前記ポイント数とで差異をつけ、
前記自動モードにて前記操作手段が遊技者により操作され、ポイントが付与される場合、手動モードにて前記操作手段が操作されたことに基づいて付与される前記ポイント数としたことを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
遊技状態に応じて点灯態様を異ならせる発光手段を有した遊技機に通信可能に個別に設けられる遊技用装置であって、
前記通信によって前記遊技機から送信された信号に基づいた演出を実行する信号連動演出実行手段と、
前記発光手段による点灯態様を検出する点灯態様検出手段と、
前記点灯態様検出手段が検出した前記点灯状態に応じた態様の演出を実行する点灯連動演出実行手段と、
前記信号連動演出実行手段による演出と、前記点灯連動演出実行手段による演出との優先順位を設定可能な優先順位設定手段と、
設定された前記優先順位に従って実行する演出を選択する演出選択手段と、
を有することを特徴とする遊技用装置。
【請求項２】
遊技機と、前記遊技機に通信可能に個別に設けられる遊技用装置と、を有する遊技システムであって、
遊技状態に応じて点灯態様を異ならせる発光手段と、
前記通信によって前記遊技機から送信された信号に基づいた演出を実行する信号連動演出実行手段と、
前記発光手段による点灯態様を検出する点灯態様検出手段と、
前記点灯態様検出手段が検出した前記点灯状態に応じた態様の演出を実行する点灯連動演出実行手段と、
前記信号連動演出実行手段による演出と、前記点灯連動演出実行手段による演出との優先順位を設定可能な優先順位設定手段と、
設定された前記優先順位に従って実行する演出を選択する演出選択手段と、
を有することを特徴とする遊技システム。
【請求項３】
遊技状態に応じて点灯態様を異ならせる発光手段と外部に信号を送信可能な端子板とを有する遊技機に個別に設けられ、前記遊技機の前記端子板を介して前記遊技機が移行し得る前記遊技状態のうち所定種類の遊技状態に関する信号を受信可能にされた遊技用装置であって、
前記通信によって前記遊技機から送信された信号に基づいて前記所定種類の遊技状態を特定する端子板信号遊技状態判定手段と、
前記発光手段による点灯態様を検出する点灯態様検出手段と、
前記点灯態様検出手段が検出した前記点灯態様に基づいて前記所定種類の遊技状態とは異なる遊技状態を判定可能な遊技状態判定手段と、
前記所定種類の遊技状態と、前記所定種類の遊技状態とは異なる遊技状態との優先順位を設定可能な優先順位設定手段と、
設定された前記優先順位に従って演出を実行する遊技状態を選択する演出選択手段と、
を有することを特徴とする遊技用装置。
【請求項４】
外部に信号を送信可能な端子板を有する遊技機と、前記遊技機に個別に設けられ前記遊技機の前記端子板を介して前記遊技機が移行し得る前記遊技状態のうち所定種類の遊技状態に関する信号を受信可能にされた遊技用装置とを有する遊技システムであって、
遊技状態に応じて点灯態様を異ならせる発光手段と、
前記通信によって前記遊技機から送信された信号に基づいて前記所定種類の遊技状態を特定する端子板信号遊技状態判定手段と、
前記発光手段による点灯態様を検出する点灯態様検出手段と、
前記点灯態様検出手段が検出した前記点灯態様に基づいて前記所定種類の遊技状態とは異なる遊技状態を判定可能な遊技状態判定手段と、
前記所定種類の遊技状態と、前記所定種類の遊技状態とは異なる遊技状態との優先順位を設定可能な優先順位設定手段と、
設定された前記優先順位に従って演出を実行する遊技状態を選択する演出選択手段と、
を有することを特徴とする遊技システム。
【請求項５】
遊技状態に応じて点灯態様を異ならせる発光手段を有した遊技機に通信可能に個別に設けられる遊技用装置であって、
他の遊技用装置と同期した演出を実行可能な同期演出実行手段と、
前記通信によって前記遊技機から送信された信号に基づいた演出を実行する信号連動演出実行手段と、
前記発光手段による点灯態様を検出する点灯態様検出手段と、
前記点灯態様検出手段が検出した前記点灯状態に応じた態様の演出を実行する点灯連動演出実行手段と、
前記信号連動演出実行手段による演出と、前記点灯連動演出実行手段による演出と、前記同期した演出との優先順位を設定可能な優先順位設定手段と、
設定された前記優先順位に従って実行する演出を選択する演出選択手段と、
を有することを特徴とする遊技用装置。
【請求項６】
遊技機と、前記遊技機に通信可能に個別に設けられる遊技用装置とを有する遊技システムであって、
遊技状態に応じて点灯態様を異ならせる発光手段と、
他の遊技用装置と同期した演出を実行可能な同期演出実行手段と、
前記通信によって前記遊技機から送信された信号に基づいた演出を実行する信号連動演出実行手段と、
前記発光手段による点灯態様を検出する点灯態様検出手段と、
前記点灯態様検出手段が検出した前記点灯状態に応じた態様の演出を実行する点灯連動演出実行手段と、
前記信号連動演出実行手段による演出と、前記点灯連動演出実行手段による演出と、前記同期した演出との優先順位を設定可能な優先順位設定手段と、
設定された前記優先順位に従って実行する演出を選択する演出選択手段と、
を有することを特徴とする遊技システム。
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
遊技状態に応じて点灯態様を異ならせる発光手段を有した遊技機に個別に設けられる遊技用装置であって、
前記発光手段による点灯態様を検出する点灯態様検出手段と、
前記点灯態様検出手段が検出した前記点灯態様に応じた態様の演出を実行する演出実行手段と、
を有することを特徴とする遊技用装置。
【請求項２】
遊技機と、前記遊技機に遊技機に個別に設けられる遊技用装置とを有する遊技システムであって、
遊技状態に応じて点灯態様を異ならせる発光手段と、
前記発光手段による点灯態様を検出する点灯態様検出手段と、
前記点灯態様検出手段が検出した前記点灯態様に応じた態様の演出を実行する演出実行手段と、
を有することを特徴とする遊技システム。
【請求項３】
遊技側の演出に用いられ遊技状態に応じて点灯態様を異ならせる発光手段を有した遊技機に個別に設けられる遊技用装置であって、
前記発光手段による点灯態様を検出する点灯態様検出手段と、
前記点灯態様検出手段が前記発光手段の点灯態様を検出した場合、前記点灯態様が示す遊技状態を判定する遊技状態判定手段と、
前記遊技状態判定手段が判定した前記遊技状態において前記遊技機が実行する前記遊技機側の演出に連動した演出を実行可能な演出実行手段と、
を有することを特徴とする遊技用装置。
【請求項４】
遊技機と、前記遊技機に個別に設けられる遊技用装置とを有する遊技システムであって、
前記遊技機に配置され遊技側の演出に用いられ遊技状態に応じて点灯態様を異ならせる発光手段と、
前記発光手段による点灯態様を検出する点灯態様検出手段と、
前記点灯態様検出手段が前記発光手段の点灯態様を検出した場合、前記点灯態様が示す遊技状態を判定する遊技状態判定手段と、
前記遊技状態判定手段が判定した前記遊技状態において前記遊技機が実行する前記遊技機側の演出に連動した演出を実行可能な演出実行手段と、
を有することを特徴とする遊技システム。
【請求項５】
サーバと通信可能に接続され、遊技の演出に用いられ遊技状態に応じて点灯態様を異ならせる発光手段を有した遊技機に個別に設けられる遊技用装置であって、
前記サーバから前記遊技機の機種ごとに設定され前記点灯態様と遊技状態とが対応付けられた演出パターンをダウンロード可能な演出取得手段と、
前記演出取得手段により取得した演出パターンを記憶する記憶手段と、
前記発光手段による点灯態様を検出する点灯態様検出手段と、
前記点灯態様検出手段が検出した前記点灯態様に応じて、前記記憶手段に記憶した演出パターンによる演出を実行する演出実行手段と、
を有することを特徴とする遊技用装置。
【請求項６】
サーバと、遊技機と、前記サーバと通信可能に接続され前記遊技機に個別に設けられる遊技用装置と、を有する遊技システムであって、
遊技の演出に用いられ遊技状態に応じて点灯態様を異ならせる発光手段と、
前記サーバから前記遊技機の機種ごとに設定され前記点灯態様と遊技状態とが対応付けられた演出パターンをダウンロード可能な演出取得手段と、
前記演出取得手段により取得した演出パターンを記憶する記憶手段と、
前記発光手段による点滅態様を検出する点灯態様検出手段と、
前記点灯態様検出手段が検出した前記点灯態様に応じて、前記記憶手段に記憶した演出パターンによる演出を実行する演出実行手段と、
を有することを特徴とする遊技システム。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
液体を口腔に射出するための射出口を有するノズルと、前記ノズルに液体を流通させる液体通路と、該液体通路に液体を流通させる管と、光源を備え、
前記ノズルは、前記液体通路の先端に着脱自在に取り付けられ、
前記光源は、該光源の光が前記液体通路の一部を通過して前記ノズルの前記射出口から射出されるよう、該液体通路に取り付けられる、口腔洗浄器。
【請求項２】
前記液体通路は、第一の開口部と第二の開口部を有し、
前記第一の開口部から流通した液体が前記第二の開口部を通過して前記ノズルに流通し、前記光源の発光面と該第二の開口部の開口面が向かい合うように構成される、請求項１に記載の口腔洗浄器。
【請求項３】
前記光源は、紫外線ＬＥＤである、請求項１または請求項２に記載の口腔洗浄器。
【請求項４】
ポンプが設けられた貯水タンクと、請求項１乃至請求項３のいずれか一項に記載の口腔洗浄機を備え、
前記貯水タンクにて貯められた液体が前記ポンプを介して前記管に流通するように構成される、口腔洗浄装置。
【請求項５】
前記管を水道の蛇口に取り付ける取付部を備え、
前記水道の水が前記取付部を介して前記管に流通するように構成される、請求項１乃至請求項３のいずれか一項に記載の口腔洗浄器。